(57)【要約】【課題】ハウジングへのカードの収容を検知するための検知手段における固定接点と可動接点との位置関係を調整しやすいカード用コネクタ装置の提供。【解決手段】検知手段２０が、ハウジングとは別個の部材からなりハウジングに組付けられた基台２１と、この基台２１に設けられた第１，第２固定接点２２，２３と、第１，第２固定接点２２，２３のそれぞれと一体の第１，第２固定接点用半田付部２４，２５と、カードの挿入および排出方向へ回動できるよう基台２１に設けられた可動部２６と、この可動部２６と基台２１の間に介在し排出方向に可動部２６を常時付勢する弾性体、および第１固定接点２２に常時接触した状態で、第２固定接点２３に対して可動部２６の回動に応じて接触および離反する可動接点を兼ねたねじりコイルばね３０とを備えている。【選択図】図２
2008140743.tif 000002
【特許請求の範囲】
【請求項１】
カードの挿入口およびこの挿入口と連続したカードの収容空間を形成したハウジングと、カードの複数の端子に対応して設けられた複数のコンタクト端子と、前記ハウジングへのカードの収容を検知するための検知手段とを備えたカード用コネクタ装置であって、
前記検知手段が、
前記ハウジングとは別個の部材からなり前記ハウジングに組み付けられた基台と、
この基台に設けられた第１，第２固定接点と、
前記基台に設けられ前記第１，第２固定接点のそれぞれと導通した第１，第２固定接点用半田付部と、
前記収容空間内に位置した状態と前記収容空間外に位置した状態とに変化することが可能な、前記基台に設けられた可動部と、
この可動部と前記基台の間に介在し、前記収容空間外から前記収容空間内に向かう方向に前記可動部を常時付勢する弾性体と、
前記第１，第２固定接点の両方に接触した状態と前記第１，第２固定接点の少なくとも一方から離反した状態とに変化することが可能な、前記可動部に設けられた可動接点とを備えたことを特徴とするカード用コネクタ装置。
【請求項２】
請求項１記載の発明において、
前記コンタクト端子が、カードの挿入および排出方向に延びた片持ちばね状に形成され、前記基台が、前記カードの厚さ方向に対応する方向において前記コンタクト端子と重なったことを特徴とするカード用コネクタ装置。
【請求項３】
請求項１記載の発明において、
前記コンタクト端子が、カードの挿入および排出方向に延びた片持ちばね状に形成され、その自由端にカードの端子に接触する接触部を有し、
前記コンタクト端子の固定端が、前記ハウジングに固定されこのハウジングの外部に露出したコンタクト端子用半田付部に導通し、
前記第１固定接点用半田付部、第２固定接点用半田付部および複数の前記コンタクト端子用半田付部が並列したことを特徴とするカード用コネクタ装置。
【請求項４】
請求項３記載の発明において、
前記第１固定接点用半田付部および前記第２固定接点用半田付部の少なくとも一方が、隣り合う前記コンタクト端子用半田付部の間に配置されたことを特徴とするカード用コネクタ装置。
【発明の詳細な説明】
【技術分野】
【０００１】
本発明は、情報端末やＡＶ機器等にメモリカードを接続するためのカード用コネクタ装置に関する。
【背景技術】
【０００２】
カード用コネクタ装置としては、特許文献１で開示された従来技術がある。この従来技術は、カードの挿入口およびこの挿入口と連続したカードの収容空間を形成したハウジングと、カードの複数の端子に対応して設けられた複数のコンタクト端子と、ハウジングへのカードの収容を検知するための検知手段とを備えている。
【０００３】
検知手段は、ハウジングにインサート成形により固定された第１，第２固定接点と、これら第１，第２固定接点のそれぞれと一体に形成された第１，第２固定接点用半田付部とを備えている。また、収容空間内に位置した状態と収容空間外に位置した状態とに変化することが可能となるようにハウジングに設けられた可動部を備えている。また、可動部とハウジングの間に介在し、収容空間外から収容空間内に向かう方向に可動部を常時付勢する弾性体と、第１，第２固定接点の両方に接触した状態と第２固定接点から離反した状態とに変化することが可能な可動接点とを兼ねた導電性を有するねじりコイルばねとを備えている。
【０００４】
このように構成された従来技術では、ハウジングへのカードの収容に伴って可動部が収容空間内から収容空間外へ動作し、これによりねじりコイルばねが変形して第２固定接点に接触し、第１，第２固定接点がねじりコイルばねを介して導通する。つまり、ハウジングへのカードの収容に伴って検知信号が生成される。したがって、従来技術が設けられた携帯電話やＡＶ機器等を、検知信号が入力されている状態のときにカードに対するデータの読取りや書込みを行うように設定することによって、読込みエラーや書込みエラー、データの破壊を防止することができる。
【特許文献１】特開２００５−１３４９７８公報
【発明の開示】
【発明が解決しようとする課題】
【０００５】
前述の従来技術に備えられている検知手段の組立は、インサート成形により第１，第２固定接点が設けられたハウジングに対し、可動部およびねじりコイルばねを組み付けることによって行われる。第１，第２固定接点とねじりコイルばねの位置関係には、ハウジングに対する可動部のガタ等に起因して調整の必要なズレが生じる場合がある。ハウジングに可動部が組み付けられた状態では、そのズレの調整が行いにくかった。
【０００６】
本発明は、前述の実情を考慮してなされたもので、その目的は、ハウジングへのカードの収容を検知するための検知手段における固定接点と可動接点との位置関係を調整しやすいカード用コネクタ装置を提供することにある。
【課題を解決するための手段】
【０００７】
前述の目的を達成するために、本発明は次のように構成されている。
【０００８】
〔１〕本発明は、カードの挿入口およびこの挿入口と連続したカードの収容空間を形成したハウジングと、カードの複数の端子に対応して設けられた複数のコンタクト端子と、前記ハウジングへのカードの収容を検知するための検知手段とを備えたカード用コネクタ装置であって、前記検知手段が、前記ハウジングとは別個の部材からなり前記ハウジングに組み付けられた基台と、この基台に設けられた第１，第２固定接点と、前記基台に設けられ前記第１，第２固定接点のそれぞれと導通した第１，第２固定接点用半田付部と、前記収容空間内に位置した状態と前記収容空間外に位置した状態とに変化することが可能な、前記基台に設けられた可動部と、この可動部と前記基台の間に介在し、前記収容空間外から前記収容空間内に向かう方向に前記可動部を常時付勢する弾性体と、前記第１，第２固定接点の両方に接触した状態と前記第１，第２固定接点の少なくとも一方から離反した状態とに変化することが可能な、前記可動部に設けられた可動接点とを備えたことを特徴とする。
【０００９】
このように構成された本発明では、ハウジングとは別個の部材である基台に第１，第２固定接点、可動接点が設けられた可動部、および、弾性体が設けられている。したがって、カード用コネクタ装置の作製する際、検知手段を組立てる工程と、検知手段をハウジングに組付ける工程とを分けて行うことができる。これにより、検知手段における固定接点と可動接点との位置関係を調整しやすいカード用コネクタ装置を提供する、という前述の目的を達成できる。
【００１０】
〔２〕本発明は、「〔１〕」記載の発明において、前記コンタクト端子が、カードの挿入および排出方向に延びた片持ちばね状に形成され、前記基台が、前記カードの厚さ方向に対応する方向において前記コンタクト端子と重なったものであってもよい。
【００１１】
このように構成された本発明では、コンタクト端子が片持ちばね状に形成されているので、コンタクト端子をそれ自身の弾性力によりカードの端子に押し付けることができ、カードの端子に対するコンタクト端子の接触状態を安定させることができる。また、検知手段が、カードの厚さ方向に対応する方向においてコンタクト端子と重なっているので、コンタクト端子が片持ちばね状に形成されていても、検知手段とコンタクト端子とが配置される空間を小さくまとめることができ、ハウジングを小型化しやすい。
【００１２】
〔３〕本発明は、「〔１〕」記載の発明において、前記コンタクト端子が、カードの挿入および排出方向に延びた片持ちばね状に形成され、その自由端にカードの端子に接触する接触部を有し、前記コンタクト端子の固定端が、前記ハウジングに固定されこのハウジングの外部に露出したコンタクト端子用半田付部に導通し、前記第１固定接点用半田付部、第２固定接点用半田付部および複数の前記コンタクト端子用半田付部が並列したものであってもよい。
【００１３】
このように構成された本発明では、第１，第２固定接点用半田付部に対する半田付けを、コンタクト端子用半田付部に対する半田付けとの一連の工程とすることができる。これにより、カード用コネクタ装置の作製作業の効率を向上させることができる。
【００１４】
〔４〕本発明は、「〔３〕」記載の発明において、前記第１固定接点用半田付部および前記第２固定接点用半田付部の少なくとも一方が、隣り合う前記コンタクト端子用半田付部の間に配置されたものであってもよい。
【００１５】
このように構成された本発明では、コンタクト端子用半田付部が並列した範囲から第１，第２固定接点用半田付部が離隔している場合と比較して、第１，第２固定接点用半田付部に接続する配線の自由度を向上させることができる。
【発明の効果】
【００１６】
本発明によれば、ハウジングへのカードの収容を検知するための検知手段における固定接点と可動接点との位置関係を調整しやすいカード用コネクタ装置を提供できる。これにより、カード用コネクタ装置の信頼性の向上に貢献できる。
【発明を実施するための最良の形態】
【００１７】
本発明のカード用コネクタ装置の一実施形態について図を用いて説明する。図１は本発明のカード用コネクタ装置の一実施形態を示す図、図２は図１に示された検知手段の拡大斜視図、図３は図１に示された検知手段の拡大平面図である。図４は図１に示されたトレーに第１カードが装着された状態を示す図、図５は図４に示されたトレーがハウジング内においてスライダに当接した状態を示す図、図６はハウジングへの第１カードの収容が完了した状態を示す図である。図７は図１に示されたトレーに第２カードが装着された状態を示す図である。なお、図１，図４〜図７は、ハウジング内部の様子が透けて見えている図であるが、これはハウジング内部の様子を図示するためであり、実際にはハウジングが透けていてもいなくてもよい。また、図５，６においては第１カードについても透けさせて描いてある。
【００１８】
本実施形態は、携帯電話やＡＶ機器等に設けられるカード用コネクタ装置である。本実施形態は、第１カード３１（図４参照）とこの第１カード３１よりも幅寸法の長い第２カード３２（図７参照）の挿入口１ａおよびこの挿入口１ａと連続した第１，第２カード３１，３２の収容空間を形成したハウジング１と、第１，第２カード３１，３２のそれぞれの複数の端子（図示していない）に対応して設けられた複数の第１，第２コンタクト端子２，３とを備えている。
【００１９】
第１コンタクト端子２は、第１，第２カード３１，３２挿入および排出方向（図１の上下方向）に延びた細長い形状に形成されている。この第１コンタクト端子２の挿入口１ａ側に位置する一端には、第１カード３１の端子に接触する接触部２ａが形成されている。第１コンタクト端子２のハウジング１の奥側に位置する他端は、インサート成形によりハウジング１に固定されている。つまり、第１コンタクト端子２は、その一端が自由端でその他端が固定端の片持ちばね状になっている。
【００２０】
第１コンタクト端子２の固定端は、ハウジング１に固定されこのハウジング１の外部に露出した第１コンタクト端子用半田付部４に導通している。この第１コンタクト端子用半田付部２は、第１コンタクト端子２の固定端と一体に形成されている。複数の第１コンタクト端子用半田付部４は、第１カード３１の幅方向に対応する方向、すなわちハウジング１の幅方向に並列している。
【００２１】
第２コンタクト端子３も、第１，第２カード３１，３２の挿入および排出方向に延びた細長い形状に形成されている。この第２コンタクト端子３の挿入口１ａ側に位置する一端は、インサート成形によりハウジング１に固定されている。第２コンタクト端子３のハウジング１の奥側に位置する他端には、第２カード３２の端子に接触する接触部３ａが形成されている。つまり、第２コンタクト端子３は、その一端が固定端でその他端が自由端の片持ちばね状、すなわち第１コンタクト端子２とは反対向きの片持ちばね状になっている。
【００２２】
第２コンタクト端子３の固定端は、ハウジング１に固定され収容空間内で露出した第２コンタクト端子用半田付部５に導通している。この第２コンタクト端子用半田付部５は、第２コンタクト端子３の固定端と一体に形成されている。
【００２３】
本実施形態は、ハウジング１の挿入口１ａから収容空間への挿入が可能なトレー６を備えている。このトレー６には、第１カード３１を模った凹部であって第１カード３１が嵌め込まれることで装着される第１カード装着部７と、第２カード３２を模った凹部であって第２カード３２が嵌め込まれることで装着される第２カード装着部８とが形成されている。また、トレー６の底部には、孔９が形成されている。この孔９は、第１カード装着部７の底部から第１カード３１の端子を露出させるための孔と、第２カード装着部８の底部から第２カード３２の端子を露出させるための孔とを連続させたものである。
【００２４】
本実施形態は、トレー６がハウジング１に収容された状態を保持する保持機構１１を備えている。この保持機構１１はハウジング１の幅方向における一方の側部（図１では右側）に設けられていて、第１，第２カード３１，３２の挿入および排出方向にスライド可能なスライダ１２と、ハウジング１とスライダ１２との間に介在し、スライダ１２を第１，第２カード３１，３２の排出方向に常時付勢するコイルスプリング（図示しない）と、ハウジング１内における所定位置（図７，図９に示す位置）にスライダ１２をロックさせるロック機構（図示しない）およびロック機構によるスライダ１２のロックを解除する解除機構とを備えている。
【００２５】
スライダ１２は、第１，第２カード３１，３２の挿入および排出方向に延び、トレー６の挿入および排出を自身と対向したハウジング１の側壁１ｂとの間でガイドするガイド部１３と、このガイド部１３からトレー６の軌道上に突出し、トレー６に係合する係合部１４とを有する。スライダ１２には、片持ちばね１５が設けられている。この片持ちばね１５は、第１，第２カード３１，３２の挿入および排出方向に延びていて、挿入口１ａ側に位置する一端が自由端でハウジング１の奥側に位置する他端が係合部１４に固定されて固定端となっている。ガイド部１３は、第１，第２カード３１，３２の収容空間から離れる方向への片持ちばね１５の撓みを許容する形状に形成されている。
【００２６】
片持ちばね１５の自由端側には、第１，第２カード３１，３２の収容空間内に突出する爪１６が形成されている。トレー６の一方の側部には、爪１６に対応した凹部１７が形成されている。爪１６は、トレー６の端部から受ける挿入方向の押圧力を、第１，第２カード３１，３２の収容空間から離れる方向に片持ちばね１５を撓ませる力に変換する傾斜部と、凹部１７の内壁面から受ける排出方向の押圧力を、第１，第２カード３１，３２の収容空間から離れる方向に片持ちばね１５を撓ませる力に変換する傾斜部とを有する山形に形成されている。
【００２７】
解除機構は、第１，第２カード３１，３２トレー６の挿入方向に押圧操作される押圧操作部材１８を有し、この押圧操作部材１８の押圧操作時に、スライダ１２のロックが解除されるようにロック機構を操作するようになっている。
【００２８】
トレー６には、ハウジング１にトレー６を挿入しようとする使用者が手指で押圧したりハウジング１からトレー６を引抜くときに摘んだりするための操作部１０が設けられている。この操作部１０は、ハウジング１の幅方向における一端側（図１では右側）に、他端側よりもトレー６の側方に突出した解除操作用突出部１９を有している。この解除操作用突出部１９は、ハウジング１にトレー６が挿入された状態で、第１，第２カード３１，３２の挿入および排出方向において前出の解除機構の押圧操作部材１８と重なるように位置するようになっている（図５，図６参照）。
【００２９】
本実施形態は、ハウジング１への第１，第２カード３１，３２の収容を検知するための検知手段２０を備えている。
【００３０】
この検知手段２０は、図２，３に示すように、ハウジング１とは別個の部材からなりハウジング１に組み付けられた基台２１と、この基台２１に設けられた第１，第２固定接点２２，２３と、これら第１，第２固定接点２２，２３のそれぞれと導通し、基台２１に設けられた第１，第２固定接点用半田付部２４，２５とを備えている。
【００３１】
基台２１は、保持機構１１が設けられた一方の側部に平行する他方の側部側であってハウジング１の奥側の端部に、第１，第２カード３１，３２の厚さ方向に対応する方向において第１コンタクト端子２と重なるように嵌め込まれている。
【００３２】
第１固定接点２２と第１固定接点用半田付部２４は一体に形成されることによって導通している。第２固定接点２３と第２固定接点用半田付部２５も一体に形成されることによって導通している。第１固定接点２２および第１固定接点用半田付部２４は、インサート成形により基台２１に固定されている。第２固定接点２３および第２固定接点用半田付部２５も、インサート成形により基台２１に固定されている。
【００３３】
第１固定接点２２は、第１，第２カード３１，３２の挿入および排出方向に直交する平面と平行に広がった接触面２２ａと、この接触面２２ａに形成された突起２２ｂとから構成されている。第２固定接点２３は、第１，第２カード３１，３２の挿入および排出方向に直交する平面と平行に広がった接触面２３ａを形成している。
【００３４】
第１固定接点用半田付部２４および第２固定接点用半田付部２５は、複数の第１コンタクト端子用半田付部４と並列している。また、第１固定接点用半田付部２４および第２固定接点用半田付部２５の少なくとも一方、例えば、第２固定接点用半田付部２５は、隣り合う第１コンタクト端子用半田付部４の間に配置されている。
【００３５】
検知手段２０はさらに、第１，第２カード３１，３２の収容空間内に位置した状態と収容空間外に位置した状態への変化が可能となるよう基台２１に、第１，第２カード３１，３２の挿入および排出方向（矢印Ａ，Ｂ方向）へ回動可能に設けられた可動部２６を備えている。図２，３において、２７は基台２１と一体に形成された回動軸、２８は可動部２６に形成され回動軸２７が挿入された軸孔、２９は基台２１と一体に形成された、収容空間外から収容空間内へ向かう方向（図３の矢印Ａ方向）への可動部２６の回動を規制する規制部である。
【００３６】
検知手段２０はさらに、可動部２６と基台２１との間に介在し、ハウジング１により形成された収容空間外から収容空間内に向かう方向（矢印Ｂ方向）に可動部２６を常時付勢する導電性を有するねじりコイルばね３０を備えている。このねじりコイルばね３０は、回動軸２７に挿入されている。ねじりコイルばね３０の一端３０ａは、第１固定接点２２の接触面２２ａに常時押し付けられているとともに、ねじりコイルばね３０が回動軸２７から抜ける方向の移動を突起２２ｂにより規制されている。
【００３７】
ねじりコイルばね３０の他端３０ｂは、第１，第２カード３１，３２の収容空間内から収容空間外への可動部２６の回動に伴って第２固定接点２３の接触面２３ａに接触し、収容空間外から収容空間内への可動部２６の回動に伴って第２固定接点２３の接触面２３ａから離反するように可動部２６から突出している。
【００３８】
つまり、ねじりコイルばね３０は、収容空間外から収容空間内に向かう方向（矢印Ａ方向）に可動部２６を常時付勢する弾性体と、第１，第２固定接点２２，２３の両方に接触した状態と第１，第２固定接点２２，２３のうちの第２固定接点２３から離反した状態への変化が可能な可動接点とを兼ねている。
【００３９】
このように構成された本実施形態は、次のように動作する。
【００４０】
トレー６の第１カード装着部７に第１カード３１が嵌め込まれ、この状態のトレー６がハウジング１の挿入口１ａに挿入される。
【００４１】
挿入口１ａに挿入されたトレー６は、収容空間内に突出した状態の片持ちばね１５の爪１６に接触する。爪１６は、トレー６の端部から受ける挿入方向の押圧力を、収容空間から離れる方向に片持ちばね１５を撓ませる力に変換するので、トレー６は、片持ちばね１５を収容空間から離れる方向に撓ませながら、ハウジング１内を挿入方向へ移動していく。そして、トレー６がスライダ１２の係合部１４に当接したとき、トレー６の凹部１７にねじりコイルばね３０の爪１６が嵌まる（図５参照）。
【００４２】
トレー６は係合部１４を押圧することでコイルスプリング（図示しない）の弾性力に抗してスライダ１２とともに、さらに挿入方向へ移動する。そして、トレー６は検知手段２０の可動部２６に当接し、さらに挿入方向へ移動し、ねじりコイルばね３０の弾性力に抗して可動部２６を挿入方向（矢印Ａ方向）へ回動させる。これにより、ねじりコイルばね３０の他端３０ｂが第２固定接点２３に接触し、この結果、第１固定接点２２と第２固定接点２３がねじりコイルばね３０を介して導通する。
【００４３】
トレー６とともに挿入方向へ所定位置まで移動したスライダ１２は、ロック機構によりロックする。トレー６はスライダ１２との間で、挿入方向および排出方向の両方向への移動を、自身の凹部１７と片持ちばね１５の爪１６とによって抑制されている。したがって、スライダ１２がロックしたとき、トレー６は排出方向への移動を抑制された状態、すなわち、収納空間内に第１カード３１が保持された状態となる。このようにしてハウジング１への第１カード３１の収容が完了する。この状態では、第１カード３１の複数の端子がトレー６の孔９から第１コンタクト端子２に対して露出している。複数の第１コンタクト端子２の接触部２ａのそれぞれは、孔９を通じて第１カード３１の複数の端子のそれぞれに押し付けられている。
【００４４】
本実施形態が設けられた携帯電話やＡＶ機器等は、第１，第２固定接点２２，２３が導通したことに伴う検知信号が入力されている状態のときに第１カード３１に対するデータの読取りや書込みを行うように設定しておくことによって、読込みエラーや書込みエラー、データの破壊を防止できるようになる。
【００４５】
ハウジング１への第１カード３１の収容が完了した状態では、スライダ１２とハウジング１の奥側の端部との間に隙間が形成されている。この状態において、操作部１０を押圧してトレー６を前記隙間分だけハウジング１の奥に押し込むと、操作部１０の解除操作用突出部１９によって解除機構の押圧操作部材１８が押圧操作される。これに伴い、解除機構がロック機構によるスライダ１２のロックを解除する。そして、スライダ１２はコイルスプリング（図示しない）の弾性力によりトレー６とともに初期位置（図５に示す位置）に押し戻される。これにより、検知手段２０では、可動部２６がトレー６による押圧から解放され、ねじりコイルばね３０の弾性力によって規制部２９に当接する初期位置に復帰し、同時に、ねじりコイルばね３０の他端３０ｂが第２固定接点２３の接触面２３ａから離反する。
【００４６】
また、操作部１０を摘んでトレー６の排出方向に引っ張ると、片持ちばね１５の爪１６が、凹部１７の内壁面から受ける排出方向の押圧力を、収容空間から離れる方向に片持ちばね１５を撓ませる力に変換するので、トレー６は片持ちばね１５を収容空間から離れる方向に撓ませながら排出方向へ移動し、これに伴って、爪１６は凹部１７から外れる。これにより、凹部１７と爪１６による排出方向の移動の抑制からトレー６が解放される。
【００４７】
ハウジング１に対する第２カード３２の収容および取出し際の動作も、前述した第１カード３１の場合と同様なので、その説明を省略する。
【００４８】
本実施形態によれば次の効果を得られる。
【００４９】
本実施形態では、ハウジング１とは別個の部材である基台２１に第１，第２固定接点２２，２３、可動部２６、および、ねじりコイルばね３０（弾性体および可動接点）が設けられているので、本実施形態を作製する際、検知手段を組立てる工程と、検知手段をハウジングに組付ける工程とを分けて行うことができる。これにより、検知手段２０における第１，第２固定接点２２，２３と可動接点との位置関係を調整しやすい。したがって、カード用コネクタ装置の信頼性の向上に貢献できる。
【００５０】
本実施形態では、第１コンタクト端子２が片持ちばね状に形成されているので、第１コンタクト端子２をそれ自身の弾性力により第１カード３１の端子に押し付けることができ、第１カード３１の端子に対する第１コンタクト端子２の接触状態を安定させることができる。また、検知手段２０が、第１カード３１の厚さ方向に対応する方向において第１コンタクト端子２と重なっているので、第１コンタクト端子２が片持ちばね状に形成されていても、検知手段２０と第１コンタクト端子２とが配置される空間を小さくまとめることができ、ハウジング１を小型化しやすい。
【００５１】
本実施形態では、第１，第２固定接点用半田付部２４，２５に対する半田付けを、第１コンタクト端子用半田付部４に対する半田付けとの一連の工程とすることができる。これにより、カード用コネクタ装置の作製作業の効率を向上させることができる。
【００５２】
本実施形態では、第２固定接点用半田付部２５が、隣り合う第１コンタクト端子用半田付部４の間に配置されているので、第１コンタクト端子用半田付部４が並列した範囲から第２固定接点用半田付部２５が離隔している場合と比較して、第２固定接点用半田付部２５に接続される配線の自由度を向上させることができる。
【００５３】
なお、本実施形態では、導電性を有するねじりコイルばね３０が、収容空間外から収容空間内に向かう方向に可動部２６を常時付勢する弾性体と、第１，第２固定接点２２，２３の両方に接触した状態と第１，第２固定接点２２，２３のうちの第２固定接点２３から離反した状態への変化が可能な可動接点とを兼ねている、すなわち、弾性体と可動接点が一体に形成されているが、本発明における弾性体および可動接点の構成はそれに限定されるものではなく、別体であってもよい。
【００５４】
また、可動接点が弾性体と別体である場合、その可動接点は、第１，第２固定接点２２，２３の両方に接触した状態と第１，第２固定接点２２，２３のうちの第２固定接点２３から離反した状態への変化が可能に設けられていてもよいし、第１，第２固定接点２２，２３の両方に接触した状態と第１固定接点２２から離反した状態への変化が可能に設けられていてもよいし、第１，第２固定接点２２，２３の両方に接触した状態と第１，第２固定接点２２，２３の両方から離反した状態への変化が可能に設けられていてもよい。
【００５５】
本実施形態は、第１，第２固定接点用半田付部２４，２５のうちの第２固定接点用半田付部２５のみが、隣接する第１コンタクト端子用半田付部４の間に配置されている例であったが、本発明における第１，第２固定接点用半田付部の配置はそれに限定されるものではない。つまり、第１固定接点用半田付部のみが、隣接する第１コンタクト端子用半田付部の間に配置されていてもよし、第１，第２固定接点用半田付部の両方がまとまって、または、個別に、隣接する第１コンタクト端子用半田付部の間に配置されていてもよい。
【図面の簡単な説明】
【００５６】
【図１】本発明のカード用コネクタ装置の一実施形態を示す図である。
【図２】図１に示された検知手段の拡大斜視図である。
【図３】図１に示された検知手段の拡大平面図である。
【図４】図１に示されたレーに第１カードが装着された状態を示す図である。
【図５】図４に示されたトレーがハウジング内においてスライダに当接した状態を示す図である。
【図６】ハウジングへの第１カードの収容が完了した状態を示す図である。
【図７】図１に示されたトレーに第２カードが装着された状態を示す図である。
【符号の説明】
【００５７】
１  ハウジング
１ａ  挿入口
１ｂ  側壁
２  第１コンタクト端子
２ａ  接触部
３  第２コンタクト端子
３ａ  接触部
４  第１コンタクト端子用半田付部
５  第２コンタクト端子用半田付部
６  トレー
７  第１カード装着部
８  第２カード装着部
９  孔
１０  操作部
１１  保持機構
１２  スライダ
１３  ガイド部
１４  係合部
１５  片持ちばね
１６  爪
１７  凹部
１８  押圧操作部材
１９  解除操作用突出部
２０  検知手段
２１  基台
２２  第１固定接点
２２ａ  接触面
２２ｂ  突起
２３  第２固定接点
２３ａ  接触面
２４  第１固定接点用半田付部
２５  第２固定接点用半田付部
２６  可動部
２７  回動軸
２８  軸孔
２９  規制部
３０  ねじりコイルばね
３０ａ  一端
３０ｂ  他端
３１  第１カード
３２  第２カード
【図１】
2008140743.tif 000003
【図２】
2008140743.tif 000004
【図３】
2008140743.tif 000005
【図４】
2008140743.tif 000006
【図７】
2008140743.tif 000007
【図５】
2008140743.tif 000008
【図６】
2008140743.tif 000009